【事件の表示】
　特願２０１７−　３０３４１「データ入力装置及びデータ入力プログラム」拒絶査定不服審判事件〔平成３０年　８月３０日出願公開、特開２０１８−１３６７０９〕について、次のとおり審決する。
【結　論】
　本件審判の請求は、成り立たない。
【理　由】
第１　手続の経緯
　本願は、平成２９年２月２１日の出願であって、平成２９年１２月６日付けで拒絶理由が通知され、平成３０年２月５日に手続補正がされるとともに意見書が提出され、平成３０年３月２９日付けで拒絶理由（最後）が通知され、平成３０年５月１６日に手続補正がされるとともに意見書が提出されたが、平成３０年６月１１日付けで平成３０年５月１６日付け手続補正書が却下されるとともに拒絶査定がなされ、これに対して平成３０年９月２０日に審判の請求がなされると同時に手続補正がなされ、平成３０年１１月２２日に前置報告がされたものである。
第２　平成３０年９月２０日にされた手続補正についての補正却下の決定
［補正却下の結論］
　平成３０年９月２０日にされた手続補正（以下、「本件補正」という。）を却下する。
［理由］
１　本件補正について（補正の内容）
（１）本件補正後の特許請求の範囲の記載
　本件補正により、特許請求の範囲の請求項１の記載は、次のとおり補正された。（下線は補正箇所である。）
「
各種
必要な記入事項
を記入するため
　前記投影部によって投影表示された前記入力フォーマットの前記入力欄に手書きされた
軌跡を特定して、特定された軌跡に基づき手書きされた
し、変換された前記文字コードを、後日利用者から手続き内容についての問い合わせがあった場合に確認を行うことが可能なデジタルデータとして、ストレージまたはデータベースサーバに保管するとともに、特定された前記軌跡を画像化し、画像化した前記軌跡を、後日利用者から手続き内容についての問い合わせがあった場合に確認を行うことが可能な証跡データとして、前記ストレージまたは前記データベースサーバに保管
を備えるデータ入力装置。」
（２）本件補正前の特許請求の範囲
　本件補正前の、平成３０年２月５日にされた手続補正により補正された特許請求の範囲の請求項１の記載は次のとおりである。
「手続についての入力内容であって、キーボードで入力可能な入力内容と、前記入力内容に対応し、入力された情報が文字コードに変換された上で記憶される入力欄とを示す入力フォーマットを入力台の上に投影表示する投影部と、
　前記投影部によって投影表示された前記入力フォーマットの前記入力欄に手書きされた文字を認識して文字コードに変換するデータ認識部と
を備えるデータ入力装置。」
２　補正の適否
　本件補正は、上記のとおり、請求項１に記載した発明を特定するために必要な事項である、
「
手続についての
「
各種手続に必要な記入事項であって
「前記入力内容
に対応し、入力された情報が文字コードに変換された上で記憶される
「前記投影部によって投影表示された前記入力フォーマットの前記入力欄に手書きされた文字を認識して文字コードに変換するデータ認識部」について、
「前記入力内容
を記入するため
「前記投影部によって投影表示された前記入力フォーマットの前記入力欄に手書きされた
軌跡を特定して、特定された軌跡に基づき手書きされた
し
変換された前記文字コードを、後日利用者から手続き内容についての問い合わせがあった場合に確認を行うことが可能なデジタルデータとして、ストレージまたはデータベースサーバに保管する
特定された前記軌跡を画像化し、画像化した前記軌跡を、後日利用者から手続き内容についての問い合わせがあった場合に確認を行うことが可能な証跡データとして、前記ストレージまたは前記データベースサーバに保管する
　また、同条第３項、第４項に違反するところはない。
　そこで、本件補正後の前記請求項１に記載された発明（以下、「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
（２）引用文献１、引用発明、周知文献２−５の記載事項
ア　引用文献１の記載事項、引用発明
　原査定の拒絶の理由で引用された、本願の出願前に頒布された又は電気通信回線を通じて公衆に利用可能となった、特開平９−３０５３０６号公報（平成９年１１月２８日公開。以下「引用文献１」という。）には、図面（特に【図１】、【図８】、【図９】、【図１８】、【図２０】）と共に、次の事項が記載されている。（下線は当審で付した。以下同様。）
　
（ア）　段落【０００６】−【００１１】
「【０００６】
【発明が解決しようとする課題】しかしながら、従来の位置入力技術では、ディスプレイに表示するカーソルにより、ペンの実際のタブレット面からの高さを認識させることができないため、以下に述べるような問題点が生じていた。
【０００７】
まず第一点として、従来の位置入力技術を用いたのでは、筆記者の入力作業が頻繁に中断されるため、作業上の効率が悪いという欠点があった。すなわち
従来の位置入力装置では、筆記者がディスプレイを見続けている限り、この筆記者は、自分の手元のペンの空間位置を認識することができない
【０００８】
第二点として、ディスプレイとタブレットとの間で度々視線を動かさなければならないため、筆記者が疲労しやすいという欠点もあった
机の上で紙面に文字を記す通常の姿勢とは異なった姿勢で入力することが筆記者に要求されていた
　　　・・・（中略）・・・
【００１１】
上記問題点に鑑み、本発明の課題は、筆記者が手元を見ることなく、長時間にわたり効率よく入力作業の続けられる位置入力装置、位置入力処理装置およびその方法を提供することである
（イ）　段落【００６３】−【００６４】
「【００６３】（Ｉ）第１形態
本第１形態は、超音波をペンから直接発振し、この超音波を検出することにより三次元座標を特定する位置入力装置およびその位置入力処理装置に関する。
【００６４】＜全体の構成＞図１に、本形態の
位置入力装置およびその位置入力処理装置
位置入力装置１００ａは、センサの設けられたボード１ａ、発振器の設けられたペン２ａとを備え
位置入力処理装置３は、汎用のコンピュータ装置が本発明を実現するためのプログラムにしたがって動作することにより実現され
モニタ４は、位置入力処理装置３で生成された画像データを表示
（ウ）　段落【００９１】−段落【００９３】
「【００９１】
＜文字モードの処理＞文字入力には、通常のワードプロセッサのように、任意の大きさの用紙上で文書を作成する通常モードと、領収書、入力シート等のように形式の予め定められた帳票において文字を入力する帳票モードとがあ
【００９２】図１８（Ｂ）に示す
メニュバーから「文字」バーが選択されると（
ステップＳ８；ＹＥＳ）、位置入力処理装置３は文字モード処理のサブルーチンＳｕｂ２を処理
筆記者が「帳票」バーを選択すると（
ステップＳ２００；帳票）帳票が選択され
筆記者は「帳票」の種類の選択を
（ステップＳ２０２）
【００９３】
筆記者が「手書きモード」を選択すると（ステップＳ２０３；ＹＥＳ）、筆記用具の選択を行うことができ
（ステップＳ２０５）
手書き入力処理を終了したい場合（ステップＳ２０６；ＹＥＳ）は最後にファイル処理を行って（ステップＳ２０７）、メインルーチンに復帰
手書き入力でなく、キーボードモード処理Ｓｕｂ３を選択した場合（ステップＳ２０３；ＮＯ）も同様であ
（エ）　段落【００９４】−【０１０２】
「【００９４】
＜手書き入力処理＞
手書き入力には、ペンを模擬したペン入力モードと、毛筆を模擬した毛筆入力モードとがあ
【００９５】
ペン入力モードは、筆記用具としてペンが選ばれているときに起動され、
筆記者がペン２ａを軽く押さえると
このとき、位置入力処理装置３はディスプレイに細いペン先のカーソルＣＵ５を表示し、細い筆跡を表示
また、ペン２ａを強く押さえると
ディスプレイに太いペン先のカーソルＣＵ６を表示
【００９６】毛筆入力モードは、筆記者がメニュー画面より「フデ」バーを選択することにより起動される（図１９（Ａ））。このモードにより、筆記者は毛筆を用いているような筆跡を記すことが可能である。毛筆入力モードの場合もペン入力のときと同様の筆跡の変更が行われる。すなわち、軽い筆圧のときは筆先が接触したような筆の形状のカーソルＣＵ７が表示され（図１６（Ａ））、強い筆圧のときは筆先が押し付けられたような筆の形状のカーソルＣＵ８が表示される（同図（Ｂ））。このカーソルにより記される筆跡の太さも筆圧に対応した太さとなる。毛筆入力を用いれば、図１９（Ｂ）のように毛筆のような筆跡を記すことが可能である。すなわち、圧力情報ＳＰと方向情報ＳＤに基づいて、表示するカーソルＣＵ９の向きと筆跡の形状を変化させる。
【００９７】なお、いずれの入力モードであっても、ツールとして「消しゴム」機能を用いることで、記した筆跡を消去することが可能である。「消しゴム」バーを選択することで、カーソル形状を消しゴムＣＵ１０に変え、筆跡を消すのである（図１９（Ｃ））。
【００９８】さて、
手書き入力処理は、
帳票モードであれば、選択した帳票上の入力したい欄にカーソルを移動させ、確認信号を入力（スイッチ２０６を押す）することで起動でき
図１８（Ｃ）
【００９９】図９に、
手書き入力処理のフローチャート
ステップＳ６００〜Ｓ６０３のループでは、筆記者がボード１ａの上に記したペン２ａの水平位置座標が、時系列データとして内部メモリへ蓄積され
同時にディスプレイ上へその筆跡のまま表示され
筆跡入力を終了するとき（
ステップＳ６０３；ＹＥＳ）筆記者は「確認（ＯＫ）」バーをカーソルで選択
選択後、時系列データに基づいて筆跡の方向性の判定が行われ、筆跡の特徴部分が抽出され
（ステップＳ６０４）
【０１００】
帳票モードであれば（ステップＳ６０５；帳票）、筆跡の示す特徴が文字コードの示す文字のうちいずれの文字を示すのかを判定する文字認識が行われ
（ステップＳ６０９）
次いでロジカルチェック処理とＡＩ処理が行われ（ステップＳ６１０）、この欄に入力されることのないキャラクタが排除され、認識できた文字の優先順位判定が行われ
認識した文字は、帳票の所定の欄
に示され、
。以上の機能は、認識すべき文字が漢字であっても同様に行うことができ
【０１０１】
また、通常モード（ステップＳ６０５；通常）では、
【０１０２】例えば、通常モードにおいて、筆記者が特定の領域を文字認識させ、文字コードによるフォントで表示したい場合、図２１（Ａ）の位置１において‘「’を記す。次いで、認識させたい文字を記入後、同図（Ｂ）の位置３に示すように‘」’で囲む（閉じる）と、両マークｋ１およびｋ２で囲まれた範囲に文字認識機能が働く。さらに文字認識した範囲にかな漢字変換を施したい場合は、同図（Ｃ）に示すように、「変換」バーを押す。以上の処理により、
手書きの筆跡と文字コードによるフォントとを混在させた表示、印刷が行え
（オ）　段落【０１０５】−【０１０６】
「【０１０５】
＜キーボードモード処理＞
では、手書きによる文字入力に代わり、模擬的に表示したキーボードから入力を行うこともでき
【０１０６】キーボードモードが選択されると（Ｓｕｂ３、図２４（Ａ））、キーボードを模擬した画像が表示される（図１０のステップＳ３００、同図（Ｂ））。次いで実際のキーボードを操作するが如く、筆記者はキーボードの画像上のキー上にカーソルを移動し、確認信号を送る（ステップＳ３０１；ＹＥＳ、図２４（Ｃ））。位置入力処理装置３は、確認フラグを認識した時のカーソルの位置（同図（Ｃ）位置１〜３）に表示していたキーの種類を特定し（ステップＳ３０２）、カーソルの示していたキーに割り付けられた制御コードをセットする（ステップＳ３０３）。これにより、文字キーを選択すれば文字が、制御キーを選択すればそのキーに対応する制御コードが生成される。「終了」を示すキーをエスケープキー等に割り付けた場合、この制御コードが認識されれば（ステップＳ３０４；ＹＥＳ）キーボードモードを解除する（ステップＳ３０５）。」
（カ）　段落【０１１４】−【０１１８】
「【０１１４】＜本形態の利点＞本第１形態の利点は、以下に掲げる各点である。
【０１１５】(a)　カーソルが影や立体画法で描画されるので、実際のボードとペンとの位置関係をディスプレイを見るだけで認識できる。したがって、ボードに視線を移す必要がなくなるため、作業上の効率と筆記者に対する負担が少なくなる。特に、影の形態を自由に選択できるので、筆記者の興味を喚起しうるカーソル表示を選択できる。
　　　・・・（中略）・・・
【０１１８】(d)　
文字認識を行うので、手書きの筆跡を記録する他、手書きの中の一部の領域のみを文字認識させ、フォント文字等に置き換えて表示することができる
（キ）　【図２０】の記載事項
　図２０（Ｂ）には、対応する明細書の上記（エ）（特に段落【００９９】−【０１００】）の記載を参照すると、
画面上部には、帳票「〇〇入力シート」として、「日付」とその入力欄、「氏名」の「フリガナ」とその入力欄にフォント文字で「ナガシマシゲオ」と表示されるとともに、画面下部には、「フリガナ（３０文字）」とその入力欄に手書き文字で「ナガシマシゲオ」と表示されるとともに、「ＯＫ」バーにカーソルが表示されて
（ク）　引用発明
　上記各記載から、引用文献１には、次の発明（以下、「引用発明」という。）が記載されていると認められる。
　
「位置入力装置１００ａは、センサの設けられたボード１ａ、発振器の設けられたペン２ａとを備え、
　位置入力処理装置３は、汎用のコンピュータ装置が本発明を実現するためのプログラムにしたがって動作することにより実現され、
　モニタ４は、位置入力処理装置３で生成された画像データを表示し、
　＜文字モードの処理＞において、
　文字入力には、通常のワードプロセッサのように、任意の大きさの用紙上で文書を作成する通常モードと、領収書、入力シート等のように形式の予め定められた帳票において文字を入力する帳票モードとがあり、
　メニュバーから「文字」バーが選択されると（ステップＳ８；ＹＥＳ）、位置入力処理装置３は文字モード処理のサブルーチンＳｕｂ２を処理し、
　筆記者が「帳票」バーを選択すると（ステップＳ２００；帳票）帳票が選択され、
　筆記者は「帳票」の種類の選択をし（ステップＳ２０２）、
　筆記者が「手書きモード」を選択すると（ステップＳ２０３；ＹＥＳ）、筆記用具の選択を行うことができ（ステップＳ２０５）、
　手書き入力処理を終了したい場合（ステップＳ２０６；ＹＥＳ）は最後にファイル処理を行って（ステップＳ２０７）、メインルーチンに復帰し、
　手書き入力でなく、キーボードモード処理Ｓｕｂ３を選択した場合（ステップＳ２０３；ＮＯ）も同様であり、
　＜手書き入力処理＞において、
　手書き入力には、ペンを模擬したペン入力モードと、毛筆を模擬した毛筆入力モードとがあり、
　ペン入力モードは、筆記用具としてペンが選ばれているときに起動され、筆記者がペン２ａを軽く押さえると、このとき、位置入力処理装置３はディスプレイに細いペン先のカーソルＣＵ５を表示し、細い筆跡を表示し、また、ペン２ａを強く押さえると、ディスプレイに太いペン先のカーソルＣＵ６を表示し、
　手書き入力処理は、帳票モードであれば、選択した帳票上の入力したい欄にカーソルを移動させ、確認信号を入力（スイッチ２０６を押す）することで起動でき、
　＜手書き入力処理＞のフローチャートにおいて、
　ステップＳ６００〜Ｓ６０３のループでは、筆記者がボード１ａの上に記したペン２ａの水平位置座標が、時系列データとして内部メモリへ蓄積され、同時にディスプレイ上へその筆跡のまま表示され、
　筆跡入力を終了するとき（ステップＳ６０３；ＹＥＳ）筆記者は「確認（ＯＫ）」バーをカーソルで選択し、選択後、時系列データに基づいて筆跡の方向性の判定が行われ、筆跡の特徴部分が抽出され（ステップＳ６０４）、
　帳票モードであれば（ステップＳ６０５；帳票）、筆跡の示す特徴が文字コードの示す文字のうちいずれの文字を示すのかを判定する文字認識が行われ（ステップＳ６０９）、
　次いでロジカルチェック処理とＡＩ処理が行われ（ステップＳ６１０）、この欄に入力されることのないキャラクタが排除され、認識できた文字の優先順位判定が行われ、認識した文字は、帳票の所定の欄に示され、
　このとき、画面上部には、帳票「〇〇入力シート」として、「日付」とその入力欄、「氏名」の「フリガナ」とその入力欄にフォント文字で「ナガシマシゲオ」と表示されるとともに、画面下部には、「フリガナ（３０文字）」とその入力欄に手書き文字で「ナガシマシゲオ」と表示されるとともに、「ＯＫ」バーにカーソルが表示されており、
　＜キーボードモード処理＞では、手書きによる文字入力に代わり、模擬的に表示したキーボードから入力を行うこともでき、
　文字認識を行うので、手書きの筆跡を記録する他、手書きの中の一部の領域のみを文字認識させ、フォント文字等に置き換えて表示することができる、
　位置入力装置およびその位置入力処理装置。」
　
イ　周知文献２の記載事項
　原査定の拒絶の理由で引用された、本願の出願前に頒布された又は電気通信回線を通じて公衆に利用可能となった、特開２００８−１３４７９３号公報（平成２０年６月１２日公開。以下「周知文献２」という。）には、図面（特に、【図２】）と共に、段落【００２９】−【００３２】に、次の事項が記載されている。
「【００２９】
　
図２は、電子的手書入力装置１０の外観と使用状態を示す説明図である
テーブル等の被投影体１８
【００３０】
　したがって、投影部１１と複眼撮像部１４とは、基部１３、自在継手３４（３４ａ、３４ｂ）、支持ロッド３２を介し、画像処理部１６に対して一体的に角度変更が自由に構成されている。
【００３１】
　
投影部１１は、被投影体１８上に手書入力面３６を投影する
【００３２】
　手書入力面３６には、先端を指示点（先端点、ポインタ）１１２とする指示手段１１０が対向する。なお、指示手段１１０は、被投影体１８上に実際に
文字や図形の書画を書き込むことが可能なペン、あるいは書き込めないペン状の物（模擬ペン）
ウ　周知文献３の記載事項
　原査定の拒絶の理由で引用された、本願の出願前に頒布された又は電気通信回線を通じて公衆に利用可能となった、特開２００１−２８２４５６号公報（平成１３年１０月１２日公開。以下「周知文献３」という。）には、図面（特に、【図１】）と共に、次の事項が記載されている。
（ア）　段落【０００２】−【０００３】
「【０００２】
【技術的背景】
コンピュータは
机
などユーザの周囲の環境に融合した形態の２つの流れにそって発展してゆくと考えられる
現在のＧＵＩ等に代表されるインターフェースは、ユーザをインターフェースに縛り付け、本来行ないたい作業とは別にインターフェースにも気を配らなければならなかった。そこで次世代のインターフェースではユーザの行ないたい作業に対してより直接的でより自然な操作を行なうことのできるインターフェースが求められている
【０００３】そこで、コンピュータを用いた情報の検索や利用において、ユーザのインターフェースによる負担の軽減のため、実世界でのユーザの作業や操作をコンピュータが支援し、キーボードやマウスのみによる
従来型のインターフェースよりも快適に利用できる次世代のインターフェースとして、実世界指向、状況認識によるインターフェースに期待が寄せられている
この実世界指向インターフェースを机上での作業に応用し、机型実世界指向インターフェースの一例として、“机”に統合された実世界指向インターフェース（Enhanced Desk）の開発が進められている
（イ）　段落【０００９】
「【０００９】図１は、本発明の実施形態であるエンハンスト・ディスク（Enhanced Desk）の外観図である。
図１に示すように、通常の机１０の上方にプロジェクタ３０を取り付け、
机上に画面１２を投影する
（ウ）　段落【００２１】（一部抜粋）
「【００２１】＜アプリケーション例＞
（簡易文字認識）
机上でのユーザの指差し動作を追跡することを利用して、ユーザが指で書いた文字を認識することができる
エ　周知文献４の記載事項
　原査定の拒絶の理由で引用された、本願の出願前に頒布された又は電気通信回線を通じて公衆に利用可能となった、特開２０００−１３２５６１号公報（平成１２年５月１２日公開。以下「周知文献４」という。）には、図面（特に、【図３】、【図４】）と共に、次の事項が記載されている。
（ア）　段落【０００４】−【０００５】
「【０００４】これらの訪問看護ステーション業務は現行（介護保険施行前）でも医療保険と老人保健制度の対象であるため、ステーションでは
保険請求の事務処理業務
従来の医療保険、老人保健の処理に加えて、介護保険の請求業務が追加され
【０００５】
これに対し、事務処理をコンピュータ化して保険請求の
帳票作成を自動化するシステムが現在各社から販売されている
（イ）　段落【００１１】
「【００１１】一方、
実空間と
仮想空間の融合技術としてAugmented Reality, Mixed Realityの研究が活発化してきている。これは
情報を実空間上に投影するなどし、実空間にコンピュータの仮想空間の情報を付加するような技術である
（ウ）　段落【００３５】
「【００３５】訪問看護婦は、携帯情報端末２０を持って患者宅へ訪問に行き、訪問先にて訪問看護を行う。この時得られたバイタルサインなどの情報は、この例の場合、訪問看護用アプリケーションを起動して、このアプリケーション内にて図５のような画面で、入力したい項目をクリックすると画面上にソフトウェア１０キーのキーボード５１が表示され、これを用いて入力する。その他気がついたコメント、定義されている患者の問題点についての
コメント（看護記録）を、
手書きメモとしてペンダウンした部分をそのまま黒反転することて手書きイメージを記述する
（エ）　段落【００６２】
「【００６２】
第三の実施形態における情報参照装置
図３
は、アーム３２にて投影対象である机３１の上方に取り付けられたＣＣＤカメラ３３と、同様にアーム３４にて上方に取り付けられた情報表示用のプロジェクタ３５からなる
（オ）　段落【００７７】−【００７８】
「【００７７】
第四の実施形態では
【００７８】本実施形態における情報参照装置においては、
図４のように、図３のプロジェクタ３５と投影領域３７の代わりに通常用いられているＣＲＴディスプレイや液晶ディスプレイなどの表示装置（ディスプレイ）４４を用いる
あるいは、図３のような構成で投影しても構わない
オ　周知文献５の記載事項
　前置報告において新たに引用された、本願の出願前に頒布された又は電気通信回線を通じて公衆に利用可能となった、特開２００７−３０４８５１号公報（平成１９年１１月２２日公開。以下「周知文献５」という。）には、図面（特に、図３）と共に、次の事項が記載されている。
（ア）　段落【０００２】−【０００４】
「【背景技術】
【０００２】
　従来、
紙での保存が義務付けられている財務や税務関連の
帳票を、電子データとして保存する
【非特許文献１】木村　道弘、宮崎　一哉、前田　陽二、“電子文書保存のしくみと実務　ｅ−文書法への実践的対応”、２００５年１２月、中央経済社
【発明の開示】
【発明が解決しようとする課題】
【０００３】
　しかしながら、スキャニングして電子ファイル化する方法では、元の紙文書が存在してしまうため、スキャニングした後に紙文書をシュレッダ等で裁断のうえ廃棄することを忘れてしまうと、情報漏洩するおそれがあり、情報漏洩を防止しなければならないという課題がある。
【０００４】
　また、前述のｅ−文書法に対応するために、作成する文書データに対して、見読性、完全性、機密性、検索性を要求されておりこれらの要求を満たさなければならないというここで、
見読性とは、スキャニングによる解像度等の規定であり、筆跡の癖程度まで表示可能な解像度が要求されている
（イ）　段落【００４１】−【００４５】
「【００４１】
　従業員は、スタイラスペン５１等により液晶ディスプレイ面にて、メインメニューから所望の帳票のフォーマットデータを読み出す指示を入力する。所望の帳票のフォーマット
データを選択する指示が入力されると、帳票アプリケーション部８２は、所望のフォーマットデータを表示プログラム部８３により液晶ディスプレイに表示させ、入力が開始できる状態とする。そして、
顧客が自ら、氏名や住所などの情報を、スタイラスペン５１等により文書入力端末５０に入力する
また、顧客の入力が終了した後、従業者は、スタイラスペン５１等により、帳票情報を補完する情報を手書きで入力する
　
ペン入力プログラム部６２は、入力を検出するごとに、入力される帳票情報を変換して揮発性ＲＡＭに文書データを生成する
【００４３】
　
入力が完了すると、
インデックスファイル生成部８６は一意に識別可能な識別情報を生成し、生成される識別情報を帳票情報に対応付ける
【００４４】
　
入力完了の状態にて、「サーバへ送信」の領域が従業者の操作により選択されると
帳票アプリケーション部８２は、インターネット３００を通じて電子署名とタイムスタンプが付与された文書データをＳＳＬにて暗号化された状態で送信する
帳票情報ＤＢサーバ２４０のイメージＤＢ２４１に電子署名とタイムスタンプが付与される文書データを記録する
【００４５】
　
また、入力完了の状態にて、帳票アプリケーション部８２からの指示により文字認識・変換ＦＥＰ部６３は、揮発性ＲＡＭに記憶される文書データの所定の領域、例えば、氏名、住所、年齢などの領域について手書き文字から文字認識を行ってテキストデータへ変換して当該文書データのインデックスとする
生成されたインデックスファイルは、帳票アプリケーション部８２により、通信管理サーバ２３０との間で確立されたＳＳＬの回線を通じて、ＳＳＬにて暗号化された状態で送信される
帳票情報ＤＢサーバ２４０のインデックスＤＢ２４２に記録する
（ウ）　段落【００４９】−【００５２】
「【００４９】
　次に、図４を参照しつつ、
文書管理システム１の文書データの検索の動作
【００５０】
　図４の処理が行われる状況としては、
例えば、顧客が商品の注文を行い、数日経過後に、商品を受領するために、店舗１００を再び訪れて、商品を受け取る状況など
【００５１】
　従業員は、顧客により入力が行われた後に、検索画面の検索開始の領域をスタイラスペン５１等により選択する。検索開始の領域が選択されると、検索プログラム部８５は、無線ＬＡＮ通信部６７を通じて識別情報を含む検索要求を通信管理サーバ２３０に送信する。通信管理サーバ２３０は、帳票情報ＤＢサーバ２４０のインデックスＤＢ２４２から識別情報を含む全てのインデックスファイルを検索して読み出し（ステップＳｂ４）、読み出したインデックスファイルを含む検索応答を文書入力端末５０に送信する。文書入力端末５０の検索プログラム部８５は、検索応答を受信すると、液晶ディスプレイに、
検索応答に含まれるインデックスファイルに含まれる識別情報、顧客氏名、住所等のインデックス情報を一覧表示する
【００５２】
　従業員が、一覧表示された中から、該当する文書データをスタイラスペン５１等により選択すると、検索プログラム部８５は、選択された文書データの識別情報を含む読み出し要求を、無線ＬＡＮ通信部６７を通じて通信管理サーバ２３０に送信する。通信管理サーバ２３０は、読み出し要求に含まれる識別情報に基づいてイメージＤＢ２４１から、識別情報に対応する文書データを読み出し、読み出した文書データを文書入力端末５０に送信する。
文書入力端末５０の検索プログラム部８５は、受信した文書データ、すなわち帳票情報を表示プログラム部８３により液晶ディスプレイに表示させる
（エ）　周知文献５のまとめ
　周知文献５には、上記（ア）から、
「紙での保存が義務付けられている
財務や税務関連の
帳票を、電子データとして保存する
上記（イ）から、
「顧客が自ら、
氏名や住所などの情報
手書きで入力する
「ペン入力プログラム部６２は、入力を検出するごとに、入力される帳票情報を変換して
揮発性ＲＡＭに文書データを生成する
「入力が完了すると」、「インデックスファイル生成部８６は一意に識別可能な識別情報を生成し、生成される識別情報を帳票情報に対応付け」ること、
「入力完了の状態にて、「
サーバへ送信
文書データを
送信する
「
帳票情報ＤＢサーバ２４０のイメージＤＢ２４１に
文書データを記録する
「また、
入力完了の状態にて、
揮発性ＲＡＭに記憶される文書データの所定の領域、例えば、氏名、住所、年齢などの領域について手書き文字から文字認識を行ってテキストデータへ変換して当該文書データのインデックスとする
「
生成されたインデックスファイルは、
送信される
「通信管理サーバ２３０は、暗号化された
インデックスファイルを
帳票情報ＤＢサーバ２４０のインデックスＤＢ２４２に記録する
上記（ウ）から、
「文書管理システム１の文書データの検索の動作」として、
「例えば、顧客が商品の注文を行い、数日経過後に、商品を受領するために、店舗１００を再び訪れて、商品を受け取る状況など」において、
「検索応答に含まれる
インデックスファイルに含まれる
顧客氏名、住所等のインデックス情報を一覧表示する
「文書入力端末５０の検索プログラム部８５は、
受信した文書データ、すなわち帳票情報を表示プログラム部８３により液晶ディスプレイに表示させる
カ　周知文献６の記載事項
　平成３０年１１月２２日の補正の却下の決定で引用された、本願の出願前に頒布された又は電気通信回線を通じて公衆に利用可能となった、国際公開第２０１４／１６２６０４号（２０１４年１０月９日公開。以下「周知文献６」という。）には、図面（特に、【図２】−【図４】、【図６】）と共に、次の事項が記載されている。
（ア）　段落［００１４］
「本実施形態では、この
手書き文書は、イメージデータではなく、各ストロークの軌跡の座標列とストローク間の順序関係を示す時系列情報として記憶媒体に保存される
つまり筆順に相当する
（イ）　段落［００１８］
「ページには、手書き文書（手書きデータ）のみならず、手書きデータ以外の他の各種コンテンツデータ、例えば、画像データ（静止画、動画）、テキストデータ、音声データ、ドロー系アプリケーションによって作成されたデータ、等を含むことができる。換言すれば、
本実施形態で扱われる手書き文書（手書きページデータ）は、複数種のメディアデータ（手書きデータ、画像データ、テキストデータ
等）を含むことができる
（ウ）　段落［００２９］
「図４は、図３の手書き文書に対応する時系列情報（手書きデータ）２００を示している。時系列情報は、複数のストロークデータＳＤ１、ＳＤ２、…、ＳＤ７を含む。
時系列情報２００内においては、これらストロークデータＳＤ１、ＳＤ２、…、ＳＤ７は、筆跡順に、つまり複数のストロークが手書きされた順に時系列に並べている
（エ）　段落［００４０］
「ＣＰＵ１０１は、タブレットコンピュータ１０内の各種モジュールの動作を制御するプロセッサである。ＣＰＵ１０１は、
ストレージデバイスである不揮発性メモリ１０６
手書き文書検索機能は、筆跡検索およびテキスト検索（文字列検索）の双方を実行することができる
（オ）　段落［００６７］−［００６９］
「検索／認識処理部３０３は、
手書きページデータ中の手書き文字列をテキスト（文字コード列）に変換する筆跡認識処理
検索／認識処理部３０３は、上述の筆跡検索およびテキスト検索を実行することができる
　ページ保存処理部３０６は、
作成中のページ上に配置される複数種のコンテンツデータ（手書きデータ、他の各種コンテンツデータ等）を含む手書きページデータを生成し、この手書きページデータを記憶媒体４０２に保存する
ストレージ
サーバ
ストレージ
　ページ取得処理部３０７は、記憶媒体４０２から任意の手書きページデータを取得する。この取得された手書きページデータは表示処理部３０１に送られる。表示処理部３０１は、
手書きページデータに含まれる複数種のデータ（手書きデータ、他のコンテンツデータ）が配置されるページを画面上に表示する
（３）引用発明との対比
ア　本件補正発明と引用発明とを対比する。
　
（ア）　引用発明の「モニタ４」（「ディスプレイ」）は、本件補正発明の「投影部」と、「表示部」である点で共通するといえる。
　引用発明の「領収書、入力シート等のように
形式
帳票
入力
　よって、引用発明の「
領収書、入力シート等のように形式の予め定められた帳票
帳票「〇〇入力シート」
日付
入力欄
フリガナ
入力欄
フリガナ（３０文字）
入力欄
キーボード
手書きによる文字入力に代わり、
キーボードから入力を行うこともでき
各種手続に必要な
入力台の上に投影
投影
表示
（イ）　引用発明の「位置入力処理装置」は、本件補正発明の「データ認識部」に対応する。
　引用発明の「筆跡」は、本件補正発明の「手書きされた軌跡」に対応する。
　引用発明において、「文字認識が行われ」、「認識した文字は、帳票の所定の欄に示され」る場合、「認識した文字」が、文字認識の過程で、特定の文字を示す「文字コードに変換され」ていることは明らかであるといえる。
　よって、引用発明の「位置入力処理装置」による「＜手書き入力処理＞のフローチャートにおいて、ステップＳ６００〜Ｓ６０３のループでは、
筆記者がボード１ａの上に記したペン２ａの水平位置座標が、時系列データとして内部メモリへ蓄積され、同時にディスプレイ上へその筆跡のまま表示され
帳票モードであれば
筆跡の示す特徴が文字コードの示す文字のうちいずれの文字を示すのかを判定する文字認識が行われ
手書き入力処理を終了したい場合
は最後にファイル処理を行って
投影
投影
変換された前記文字コードを、後日利用者から手続き内容についての問い合わせがあった場合に確認を行うことが可能なデジタルデータとして、ストレージまたはデータベースサーバに保管するとともに、特定された前記軌跡を画像化し、画像化した
後日利用者から手続き内容についての問い合わせがあった場合に確認を行うことが可能な証跡データとして、前記ストレージまたは前記データベースサーバに
表示
、
（ウ）　引用発明の「位置入力装置およびその位置入力処理装置」は、本件補正発明の「データ入力装置」に対応する。
イ　一致点・相違点
　以上のことから、本件補正発明と引用発明との一致点及び相違点は、次のとおりである。
　
［一致点］
「記入事項であって、キーボードで入力可能な入力内容と、前記入力内容を記入するための入力欄とを示す入力フォーマットを、表示する表示部と、
　前記表示部によって、表示された前記入力フォーマットの前記入力欄に手書きされた軌跡を特定して、特定された軌跡に基づき手書きされた文字を認識して文字コードに変換し、前記軌跡を、保管するデータ認識部と
を備えるデータ入力装置。」
［相違点１］
　「記入事項」が、本件補正発明では、「各種手続に必要な」記入事項であるのに対し、引用発明では、「領収書、入力シート等のように形式の予め定められた帳票において文字を入力する」ものであるが、「各種手続に必要な」記入事項であることが特定されていない点。
　
［相違点２］
　本件補正発明では、「入力フォーマットを
入力台の上に投影
投影部
投影部
投影
ディスプレイ上へ
入力台の上に投影
投影部
投影部
投影
［相違点３］
　本件補正発明では、「変換された前記文字コードを、後日利用者から手続き内容についての問い合わせがあった場合に確認を行うことが可能なデジタルデータとして、ストレージまたはデータベースサーバに保管するとともに、特定された前記軌跡を画像化し、画像化した前記軌跡を、後日利用者から手続き内容についての問い合わせがあった場合に確認を行うことが可能な証跡データとして、前記ストレージまたは前記データベースサーバに保管する」のに対し、引用発明では、「ボード１ａの上に記したペン２ａの水平位置座標が、時系列データとして
内部メモリへ蓄積され
手書きの筆跡を記録する
ことができる
ファイル処理
（４）判断
［相違点１］について
　一般に、帳票として、各種手続に必要な記入事項を備えるものは、周知文献４（上記（２）エ（ア））、周知文献５（上記（２）オ（ア））にそれぞれ記載されるように、周知技術である。
　よって、引用発明の「領収書、入力シート等のように形式の予め定められた帳票」として、上記周知技術の、各種手続に必要な記入事項を備える帳票を採用することによって、「各種手続に必要な」記入事項を入力する、上記［相違点１］に係る構成とすることは、当業者が容易になし得たものである。
［相違点２］について
　ユーザインタフェースとして、机などの物体表面に投影された表示に対して、手書きで文字等を直接入力する構成は、周知文献２（上記（２）イ）、周知文献３（上記（２）ウ（ア）−（ウ））、周知文献４（上記（２）エ（イ）−（オ））にそれぞれ記載されるように、周知技術である。
　よって、引用発明のユーザインタフェースとして、使い易さ等を考慮して、「モニタ４」で表示をしながら、「ボード１ａ」上で手書き文字入力をすることに代えて、上記周知技術の、机などの物体表面に投影された表示に対して、手書きで文字等を直接入力する構成を採用することによって、「入力フォーマットを
入力台の上に投影
投影部
投影部
投影
［相違点３］について
　一般に、帳票等に入力された、手書きイメージ（「画像」）データや、文字データ等を、後日利用できるようにするために、記憶手段に保管することは、例えば、周知文献５（上記（２）オ（イ）ー（エ）。なお、周知文献５における「帳票情報ＤＢサーバ２４０」の「イメージＤＢ２４１」と「インデックスＤＢ２４２」とが、本願発明における各「ストレージまたはデータベースサーバ」に対応する。）、周知文献６（上記（２）カ（ア）−（オ））に記載されるように、周知技術である。
　また、引用発明は、「ボード１ａの上に記したペン２ａの水平位置座標が、時系列データとして
内部メモリへ蓄積され
手書きの筆跡を記録する他
フォント文字等に置き換えて
ことができる
ファイル処理
　よって、引用発明に、上記周知技術の、帳票に入力された、手書きイメージ（「画像」）データや、文字データ等を、後日利用できるようにするために、記憶手段に保管する構成を付加することによって、「変換された前記文字コードを、後日利用者から手続き内容についての問い合わせがあった場合に確認を行うことが可能なデジタルデータとして、ストレージまたはデータベースサーバに保管するとともに、特定された前記軌跡を画像化し、画像化した前記軌跡を、後日利用者から手続き内容についての問い合わせがあった場合に確認を行うことが可能な証跡データとして、前記ストレージまたは前記データベースサーバに保管する」、上記［相違点３］に係る構成とすることは、当業者が容易になし得たものである。
　そして、本件補正発明の奏する作用効果は、当業者であれば、引用発明及び周知技術から予測できる範囲内のものにすぎず、格別顕著なものということはできない。
　
　したがって、本件補正発明は、引用発明及び周知技術に基づいて、当業者が容易に発明をすることができたものであり、特許法第２９条第２項の規定により、特許出願の際独立して特許を受けることができないものである。
（５）本件補正についてのむすび
　よって、本件補正は、特許法第１７条の２第６項において準用する同法第１２６条第７項の規定に違反するので、同法第１５９条第１項の規定において読み替えて準用する同法第５３条第１項の規定により却下すべきものである。
　よって、上記補正の却下の決定の結論のとおり決定する。
　
第３　本願発明について
１　本願発明
　平成３０年９月２０日付けの手続補正は上記のとおり却下されたので、本願の請求項に係る発明は、平成３０年２月５日にされた手続補正により補正された特許請求の範囲の請求項１−１３に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、この出願の請求項１−１３に係る発明は、本願出願前に頒布された又は電気通信回線を通じて公衆に利用可能となった下記の引用文献１−８に記載された発明に基づいて、その出願前にその発明の属する技術分野における通常の知識を有する者が容易に発明をすることができたものであるから、特許法第２９条第２項の規定により特許を受けることができない、というものである。
　引用文献１：特開平９−３０５３０６号公報
　引用文献２：特開２００８−１３４７９３号公報
　引用文献３：特開２００１−２８２４５６号公報
　引用文献４：特開２０００−１３２５６１号公報
　引用文献５：特開２０１６−６２６０７号公報
　引用文献６：特開２００２−８１９２２号公報
　引用文献７：特開２００９−１８２９０８号公報
　引用文献８：特開平１０−２９３８０３号公報
３　引用文献１
　原査定の拒絶の理由で引用された引用文献１及びその記載事項は、前記第２［理由］２（２）アに記載したとおりである。
　
４　対比・判断
　本願発明は、前記第２［理由］２で検討した本件補正発明から、「入力内容」に係る限定事項、「手書き文字の軌跡の認識」に係る限定、「文字コードのデジタルデータの記憶」に係る限定、「軌跡が画像化された証跡データの記憶」に係る限定を省いたものである。
　そうすると、本願発明の構成要件を全て含み、さらに他の構成要件を付加したものに相当する本件補正発明が、上記第２［理由］２（３）、（４）に記載したとおり、引用発明及び周知技術に基づいて、当業者が容易に発明をすることができたものであるから、本願発明も、同様の理由により、引用発明及び周知技術に基づいて、当業者が容易に発明をすることができたものである。　
第４　むすび
　以上のとおり、本願発明は、特許法第２９条第２項の規定により特許を受けることができないから、他の請求項に係る発明について論及するまでもなく、本願は拒絶されるべきものである。
　よって、結論のとおり審決する。